(57)【要約】【課題】眩しさを抑制した所望の配光が得られる標識灯を提供する。【解決手段】標識灯１は、光源２と、それぞれ一端面３ａ，４ａが光源２からの放射光を入光し、他端面３ｂ，４ｂに放射光を通過させるとともに全周方向に反射させる配光制御面１２ａ，１２ｂ，１３ａ，１３ｂが形成された第１および第２の光制御部材３，４と、光源２を収容しているとともに第１および第２の光制御部材３，４を配設している標識灯本体６を具備している。【選択図】図１
2007198081.tif 000002
【特許請求の範囲】
【請求項１】
光源と；
一端面が光源からの放射光を入光し、他端面に当該放射光を通過させるとともに全周方向に反射させる配光制御面が形成されている第１の光制御部材と；
一端面が第１の光制御部材の他端面に対向して第１の光制御部材を通過した前記放射光の通過光を入光し、他端面に当該通過光を通過させるとともに全周方向に反射させる配光制御面が形成されている第２の光制御部材と；
光源を収容しているとともに第１および第２の光制御部材を配設している標識灯本体と；
を具備していることを特徴とする標識灯。
【請求項２】
第１および第２の光制御部材は、略同一の形状および大きさに形成され、第１および第２の光制御部材のそれぞれの配光制御面は、略同一の形状および大きさに形成されていることを特徴とする請求項１記載の標識灯。
【発明の詳細な説明】
【技術分野】
【０００１】
本発明は、光源からの放射光を全周方向に出射させる光制御部材を有する標識灯に関する。
【背景技術】
【０００２】
空港の滑走路や誘導路などの路肩に設置される地上型の航空標識灯は、例えば夜間などの周囲が暗くなったときに点灯され、滑走路や誘導路などの路幅部分を操縦者や運転者等に視認させている。この航空標識灯は、その全周方向に所望の配光の光を出射させている。例えば、誘導路に設置される標識灯においては、鉛直方向に対して水平方向から０°〜６°の範囲で２カンデラ（ｃｄ）以上、６°〜９０°の範囲で０．２カンデラ（ｃｄ）以上の青色光の規格値を要求しているものがある（ＴＳ６１８２７、ＩＥＣ：２００４）。
【０００３】
そして、全周方向に光を出射するものとして、光源に１個の発光ダイオードを用いて、所望の配光を得ている標識灯が提案されている（例えば、特許文献１参照。）。この従来技術の標識灯は、発光ダイオードの光軸上の光を遮ることなく直進させるとともに、光軸の周辺部の放射光をほぼ直交方向に反射させる制光部材を具備することにより、透光性グローブを介して発光ダイオードからの光が略水平方向に大量に出射される結果、操縦者や運転者が視認しやすい所望の配光が容易に得られるというものである。
【特許文献１】特開２００４−３００７９７号公報（第３−４頁、第１図）
【発明の開示】
【発明が解決しようとする課題】
【０００４】
特許文献１の標識灯は、制光部材が発光ダイオードからの光を略水平方向に大量に反射させるので、鉛直方向の光量が減少する結果、鉛直方向の輝度を規定値以上確保するために発光ダイオードの光出力を低減させることができないという欠点を有する。そして、制光部材により略水平方向に反射された発光ダイオードからの光は、透光性グローブの外表面の小面積部分から出射されるので、標識灯を近くから視認すると、標識灯が眩しく見えて不快感を生じさせるという欠点を有する。
【０００５】
本発明は、眩しさを抑制した所望の配光が得られる標識灯を提供することを目的とする。
【課題を解決するための手段】
【０００６】
請求項１に記載の標識灯の発明は、光源と；一端面が光源からの放射光を入光し、他端面に当該放射光を通過させるとともに全周方向に反射させる配光制御面が形成されている第１の光制御部材と；一端面が第１の光制御部材の他端面に対向して第１の光制御部材を通過した前記放射光の通過光を入光し、他端面に当該通過光を通過させるとともに全周方向に反射させる配光制御面が形成されている第２の光制御部材と；光源を収容しているとともに第１および第２の光制御部材を配設している標識灯本体と；を具備していることを特徴とする。
【０００７】
本発明および以下の発明において、特に言及しない限り、各構成は以下による。
【０００８】
標識灯は、空港用、道路用など多用な用途のいずれであってもよい。また、地上形、埋込形のいずれであってもよい。
【０００９】
光源からの放射光を第１の光制御部材の一端面に直接入光してもよく、反射板や光ファイバーなどの導光部材等を用いて入光するようにしてもよい。
【００１０】
第１および第２の光制御部材は、例えばアクリル樹脂などの透光性の合成樹脂や強化ガラスなどで形成することができる。そして、その形状は、例えば円柱状や５角柱、６角柱、８角柱などの多角柱状などに形成することができる。
【００１１】
そして、配光制御面は、第１および第２の光制御部材の形状に対向する逆円錐形状や逆５角錐、逆６角錐、逆８角錐などの逆多角錐形状、あるいは逆台形状の凹部などに形成することができる。逆円錐、逆多角錐や逆台形状の凹部などの傾斜面が配光制御面となり、光源からの放射光は、配光制御面に入射する角度に応じて配光制御面を通過（透過）し、第１および第２の光制御部材の全周方向に反射される。しかし、配光制御面は、上記逆円錐形状、逆多角錐形状や逆台形状の凹部などに限定されるものではなく、例えば小面積の反射面を多数形成してもよい。上記において、凹部は、透光性の充填物により充填されてもよい。
【００１２】
第１の光制御部材の一端面に凹部を形成し、この凹部に光源の発光部を位置させ、あるいは光源からの放射光を導光させてもよい。光源からの放射光の大部分が当該一端面に入光するので、放射光の入光効率が向上する。
【００１３】
第１の光制御部材の他端面および第２の光制御部材の一端面は、接触（密着）されてもよく、離間されてもよい。例えば、第１の光制御部材の他端面および第２の光制御部材の一端面を接着材により接着し、第１の光制御部材の他端面側および第２の光制御部材の一端面側のそれぞれの周回部（外表面）をゴムパッキンや連結金具などにより連結してもよい。
【００１４】
そして、第２の光制御部材の他端面に、第１または第２の光制御部材と同様に形成された第３の光制御部材を連結してもよい。以下、順次、第４の光制御部材、第５の光制御部材を連結してもよい。
【００１５】
本発明によれば、光源からの放射光は、それぞれ配光制御面が位置する第１の光制御部材の全周に亘る外表面および第２の光制御部材の全周に亘る外表面の２箇所の周回部から出射され、１箇所の周回部から出射されるよりも光量が大きくなる。したがって、標識灯から全周方向に出射される放射光の光量が規格値以下にならないように光源の光出力を低減することができ、この光出力の低減と、前記２箇所の周回部からそれぞれ放射光が出射されることによる出射面積が大きくなることによって、標識灯を近くから視認しても、標識灯が眩しく見えることが抑制される。
【００１６】
請求項２に記載の標識灯の発明は、請求項１に記載の標識灯において、第１および第２の光制御部材は、略同一の形状および大きさに形成され、第１および第２の光制御部材のそれぞれの配光制御面は、略同一の形状および大きさに形成されていることを特徴とする。
【００１７】
本発明によれば、第１および第２の光制御部材とそれぞれの配光制御面は、それぞれ形状および大きさが略同一となるので、第１および第２の光制御部材からの出射光の明暗が生じにくくなるとともに安価に製造される。
【発明の効果】
【００１８】
請求項１の発明によれば、光源の放射光が第１および第２の光制御部材からそれぞれ出射されることにより、出射光の出射面積が大きくなる。そして、光源の光出力の低減を図ることによって、標識灯を近くから視認しても、出射光が眩しく見えることが抑制されるので、標識灯を近くからでも不快感なく容易に視認することができる。
【００１９】
請求項２の発明によれば、第１および第２の光制御部材とそれぞれの配光制御面がそれぞれ形状および大きさが略同一に形成されることにより出射光の明暗が生じにくくなるので、標識灯をより容易に視認することができる。
【発明を実施するための最良の形態】
【００２０】
以下、本発明の一実施の形態について、図面を参照して説明する。まず、本発明の第１の実施形態について説明する。
【００２１】
図１は、本発明の第１の実施形態を示す標識灯の概略縦断面図である。標識灯１は、誘導路灯であり、光源としての発光ダイオード２、第１の光制御部材３、第２の光制御部材４、連結手段５および標識灯本体６を有して構成されている。この標識灯１は、例えば誘導路の路肩７に設置されている基台８に取り付けられている。
【００２２】
発光ダイオード２は、例えば円形の基板９の一方の面９ａに実装され、基板９の他方の面９ｂに接続されている給電線１０，１０に接続されている。発光ダイオード２は、給電線１０，１０を介して電力が供給されると点灯（発光）し、可視光例えば青色光を放射する。発光ダイオード２は、面実装形、砲弾形などの形状は問わない。
【００２３】
第１の光制御部材３は、例えば円柱状の強化ガラスからなり、一端面３ａの中心部に凹部１１、他端面３ｂの中心部に凹部１２（以下、第１の凹部１２という。）が形成されている。凹部１１および第１の凹部１２の中心は、第１の光制御部材３の長手方向の中心軸Ｄに一致させている。
【００２４】
凹部１１は、例えば直方形に形成され、発光ダイオード２が挿入されている。発光ダイオード２からの放射光は、凹部１１の内面から第１の光制御部材３内に入光する。発光ダイオード２を凹部１１内に位置させることにより、発光ダイオード２からの放射光は、第１の光制御部材３の内部に最大限で入光される。
【００２５】
第１の凹部１２は、第１の光制御部材３の他端面３ｂから横断面が円形で縦断面が台形状に形成されている。一端面３ａ側から見ると縦断面が逆台形状に形成されている。発光ダイオード２からの放射光は、傾斜面１２ａおよび底面１２ｂでの入射角度に応じて傾斜面１２ａおよび底面１２ｂを通過し、傾斜面１２ａで第１の光制御部材３の全周方向に反射される。傾斜面１２ａおよび底面１２ｂは、発光ダイオード２からの放射光を通過させるとともに第１の光制御部材３の全周方向に反射させる配光制御面となっている。すなわち、発光ダイオード２からの放射光は、図中光線Ａおよび光線Ｂに示すように、一部が傾斜面１２ａおよび底面１２ｂを通過する通過光となり、図中光線Ｃに示すように、一部が傾斜面１２ａで反射された反射光となって第１の光制御部材３の側面（外表面）３ｃから外方に出射される。また、図示していないが、発光ダイオード２からの放射光の一部は、直接的に第１の光制御部材３の側面３ｃから外方に出射され、一部が第１の光制御部材３に吸収される。
【００２６】
第２の光制御部材４は、例えば強化ガラスからなり、一端面４ａが平面に形成されている以外、第１の光制御部材３と同一の形状および大きさに形成されている。そして、他端面４ｂには、前記第１の凹部１２と同一の形状および大きさの第２の凹部１３が形成されている。第２の凹部１３の傾斜面１３ａおよび底面１３ｂは、第１の光制御部材３を通過した発光ダイオード２からの放射光を通過させるとともに第２の光制御部材４の全周方向に反射させる配光制御面となっている。
【００２７】
そして、第１の光制御部材３の他端面３ｂと第２の光制御部材４の一端面４ａは接着材（連結手段）５により密着されている。このとき、第２の光制御部材４の長手方向の中心軸と第１の光制御部材３の長手方向の中心軸Ｄを一致させて、第２の凹部１３の中心を前記中心軸Ｄに一致させている。接着材５による前記密着により、第１の光制御部材３および第２の光制御部材４が連結され、第２の光制御部材４の一端面４ａが第１の光制御部材３の他端面３ｂに対向している。
【００２８】
第２の光制御部材４の一端面４ａには、発光ダイオード２からの放射光のうち、第１の光制御部材３の第１の凹部１２の傾斜面１２ａおよび底面１２ｂ（配光制御面）において反射されずに通過した通過光が入光（入射）する。そして、当該通過光は、図中光線Ｂに示すように、一部が傾斜面１３ａおよび底面１３ｂ（配光制御面）を通過する通過光となり、図中光線Ａに示すように、一部が傾斜面１３ａで反射された反射光となって第２の光制御部材４の側面（外表面）４ｃから外方に出射される。また、図示していないが、第１の凹部１２の傾斜面１２ａおよび底面１２ｂを通過した通過光の一部は、直接的に第２の光制御部材４の側面４ｃから外方に出射され、一部が第２の光制御部材４に吸収される。
【００２９】
標識灯本体６は、円筒状の金属例えばアルミニウム（Ａｌ）からなり、一端側６ａの内面に仕切壁１４が設けられている。仕切壁１４は、上面１４ａおよび下面１４ｂに連通する貫通孔１５がそれらの中心部において形成され、上面１４ａに所定の深さを有する例えば円形の凹部１６が形成されている。そして、凹部１６の底面に基板９が載置されて図示しない接着材または図示しないねじにより固定されている。基板９の他方の面９ｂから導出している給電線１０，１０は、貫通孔１５を挿通している。
【００３０】
そして、第１の光制御部材３の一端面３ａが仕切壁１４の上面１４ａに載置する（接触する）ようにして、第１の光制御部材３が標識灯本体６内に嵌め込まれている。このとき、第１の光制御部材３の一端面３ａに形成された凹部１１に発光ダイオード２が挿入される。また、第１の光制御部材３の一端面３ａ側の側面３ｃが標識灯本体６の一端側６ａの内壁面により挟持される。こうして、標識灯本体６は、発光ダイオード２を収容しているとともに第１および第２の光制御部材３，４を配設（支持）している。そして、標識灯本体６は、基台８に取り付けられている。
【００３１】
基台８は、金属例えばアルミニウム（Ａｌ）からなり、例えば円柱状または多角柱状の台座部１７および台座部１７と一体的に台座部１７の上面１７ａに設けられた所定長の円筒部１８を有して形成されている。台座部１７は、図示しないボルト等を用いて路肩７に固定されている。また、台座部１７には、円筒部１８の底面１８ａにおいて例えば直方体形状の凹部１９が形成されている。
【００３２】
そして、凹部１９の底面１９ａには、端子台２０が設けられている。端子台２０は、外部から凹部１９内に引き込まれた図示しない電源線を接続し、基板９から導出している給電線１０，１０を接続している。給電線１０，１０は、標識灯本体６が基台８に取り付けられる前に端子台２０に接続される。
【００３３】
そして、標識灯本体６は、その他端側６ｂが円筒部１８内に挿入されて、円筒部１８の底面１８ａに載置されている。そして、標識灯本体６の他端側６ｂの側面（外表面）は、円筒部１８の側面１８ｂから内面に連通するねじ部２１，２１に螺合されたねじ２２，２２により挟持されている。これにより、標識灯本体６は、基台８に固定されている。
【００３４】
次に、本発明の第１の実施形態の作用について述べる。
【００３５】
基台８の端子台２０に電源線を介して直流電圧が供給されると、この直流電圧は、給電線１０，１０を介して基板９に実装された発光ダイオード２の電極間に印加される。これにより、発光ダイオード２が点灯（発光）して、発光ダイオード２から可視光例えば青色光が放射される。
【００３６】
発光ダイオード２から放射された放射光（可視光）は、第１の光制御部材３の一端面３ａに形成された凹部１１の内面から第１の光制御部材３の内部に入光する。そして、当該放射光は、第１の光制御部材３の内部を直進して、一部の放射光が、図１中光線Ｃに示すように、第１の凹部１２の傾斜面１２ａ（配光制御面）において第１の光制御部材３の側面（外表面）３ｃ側に反射される。
【００３７】
そして、傾斜面１２ａは、第１の凹部１２の内面であるので、第１の光制御部材３の全周に亘り、かつ少なくとも傾斜面１２ａに最も近い側面３ｃの部分には任意の方向から放射光が反射される。これにより、少なくとも第１の凹部１２（傾斜面１２ａ）が位置する第１の光制御部材３の全周に亘る側面（外表面）３ｃから放射光が出射される。そして、当該放射光が出射する前記側面３ｃ（周回部）の出射面積は、少なくとも第１の光制御部材３の長手方向の第１の凹部１２の大きさに対応している。
【００３８】
また、第１の光制御部材３の内部に入光した発光ダイオード２の放射光の一部は、図１中光線Ａおよび光線Ｂに示すように、第１の凹部１２の傾斜面１２ａおよび底面１２ｂにおいて反射されずに通過する。この通過した通過光は、第２の光制御部材４の一端面４ａから第２の光制御部材４の内部に入光する。そして、当該通過光は、第２の光制御部材４の内部を直進して、一部の放射光が、図１中光線Ａに示すように、第２の凹部１３の傾斜面１３ａ（配光制御面）において第２の光制御部材４の側面（外表面）４ｃ側に反射される。
【００３９】
第２の凹部１３は、第１の光制御部材３の第１の凹部１２と同一の形状および大きさに形成されているので、上記同様、少なくとも第２の凹部１３（傾斜面１３ａ）が位置する第２の光制御部材４の全周に亘る側面（外表面）４ｃから前記通過光による放射光が出射される。そして、当該放射光が出射する前記側面４ｃ（周回部）の出射面積は、少なくとも第２の光制御部材４の長手方向の第２の凹部１３の大きさに対応している。
【００４０】
そして、前記通過光の一部の放射光は、図１中光線Ｂに示すように、第２の凹部１３の傾斜面１３ａおよび底面１３ｂにおいて反射されずに通過する。この通過した通過光は、第２の光制御部材４の他端面４ｂから外方（上方）に向かって出射される。
【００４１】
標識灯１は、誘導路の路肩７に設置された架台８に取り付けられているので、第１の光制御部材３および第２の光制御部材４からそれぞれの全周方向に出射された発光ダイオード２からの放射光は、路肩７に対して略水平方向に出射され、第２の光制御部材４の他端面４ｂから出射された放射光は、路肩７に対して鉛直方向側に出射される。
【００４２】
そして、標識灯１から路肩７に対して略水平方向に出射される放射光は、第１の凹部１２が位置する第１の光制御部材３の側面３ｃおよび第２の凹部１３が位置する第２の光制御部材４の側面４ｃの２箇所から出射されるので、いずれか１箇所から出射される場合よりも放射光の光量が多くなる。したがって、第２の光制御部材４の他端面４ｂから路肩７に対して鉛直方向側に出射される放射光が規定値例えば０．２カンデラ（ｃｄ）以上であって、路肩７に対して略水平方向に出射される光量が規定値例えば２カンデラ（ｃｄ）を下回らないように、発光ダイオード２に印加される直流電圧を低下させて発光ダイオード２の消費電力を低減し、発光ダイオード２からの光出力を低減することができる。
【００４３】
また、路肩７に対して略水平方向に出射される放射光は、上記２箇所から出射されるので、出射面積が大きくなっている。したがって、発光ダイオード２の光出力を上記のように低減させることにより、例えば自動車での点検時のように、標識灯１が近くから視認されても、標識灯１からの出射光が眩しく見えることが抑制される。これにより、標識灯１を不快感なく容易に視認することができる。
【００４４】
そして、第１の光制御部材３および第２の光制御部材４は、同一（略同一）の円柱状の形状および大きさに形成され、第１の凹部１２および第２の凹部１３は、同一の断面逆台形の形状および大きさに形成されているので、第１の光制御部材３の第１の凹部１２が位置する側面３ｃ側から出射される出射光の光量と、第２の光制御部材４の第２の凹部１３が位置する側面４ｃ側から出射される出射光の光量は、大きく相違しない。したがって、上記２箇所からの出射光の明暗が視認されにくく、標識灯１を不快感なく視認することができる。第１の光制御部材３および第２の光制御部材４と、第１の凹部１２および第２の凹部１３（第１および第２の光制御部材３，４のそれぞれの配光制御面）が同一の形状および大きさに形成されることにより、手間を要しなく安価に製造することができる。
【００４５】
また、第１の光制御部材３および第２の光制御部材４が接着材５により密着されることにより、第１の光制御部材３および第２の光制御部材４の部位がコンパクトに形成されるので、標識灯１をコンパクトにすることができる。
【００４６】
なお、上記実施形態において、第１の光制御部材３の一端面３ａに凹部１１を設け、この凹部１１に発光ダイオード２を位置させているが、これに限らず、第１の光制御部材３の一端面３ａは平面に形成され、一端面３ａに発光ダイオード２からの放射光を入光（入射）させるようにしてもよい。また、第１の凹部１２および第２の凹部１３の大きさは、第１の光制御部材３および第２の光制御部材４の形状や放射光の出射面積などを考慮して適宜の大きさに形成すればよい。
【００４７】
次に、本発明の第２の実施形態について説明する。
【００４８】
図２は、本発明の第２の実施形態を示し、図２（ａ）はゴムパッキンにより連結された第１および第２の光制御部材の概略縦断面図、図２（ｂ）は連結金具により連結された第１および第２の光制御部材の概略縦断面図である。なお、図１と同一部分には同一符号を付して説明は省略する。
【００４９】
図２（ａ）において、第１の光制御部材３および第２の光制御部材４は、第１の光制御部材３の他端面３ｂ側の側面３ｃおよび第２の光制御部材４の一端面４ａ側の側面４ｃに跨る連結手段としての例えばシリコンからなる所定幅のゴムパッキン２３によって、側面３ｃおよび側面４ｃが締め付けられることにより連結されている。第１の光制御部材３の他端面３ｂおよび第２の光制御部材４の一端面４ａは、互いに密接している。
【００５０】
ゴムパッキン２３の幅は、第１の凹部１２の大きさ（深さ）に比べて比較的小さいので、ゴムパッキン２３で遮られる傾斜面１２ａで反射された放射光の割合は小さい。ここで、透光性のゴムパッキン２３を用いることにより、前記反射光の遮光を最小限に押えることができる。
【００５１】
図２（ｂ）において、第１の光制御部材３および第２の光制御部材４は、連結手段としての連結金具２４により連結されている。連結金具２４は、内部に２段の仕切壁２５，２６が設けられている。仕切壁２５，２６は、それぞれ孔２７，２８が形成されている。
【００５２】
連結金具２４は、第１の光制御部材３の他端面３ｂが仕切壁２５に接触するようにして、かつ、第２の光制御部材４の一端面４ａが仕切壁２６に接触するようにして、第１の光制御部材３および第２の光制御部材４を嵌め込んでいる。すなわち、連結金具２４は、仕切壁２５側の内壁が第１の光制御部材３の他端面３ｂ側の側面３ｃを挟持して、第１の光制御部材３に立設され、仕切壁２６側の内壁が第２の光制御部材４の他端面４ａ側の側面４ｃを挟持して、第２の光制御部材４を支持している。
【００５３】
第１の光制御部材３の第１の凹部１２の傾斜面１２ａおよび底面１２ｂ（配光制御面）を通過した発光ダイオード２からの放射光は、仕切壁２５の孔２７、連結金具２４の内部および仕切壁２６の孔２８を通過して第２の光制御部材４の他端面４ａに入光（入射）する。
【００５４】
第１の凹部１２の傾斜面１２ａで反射され、第１の光制御部材３の側面３ｃ側に向かう反射光の一部は、連結金具２４により遮られるが、連結金具２４の第１の光制御部材３に嵌め込まれる部分は、第１の凹部１２の大きさに比べて比較的小さいので、連結金具２４で遮られる放射光の割合は小さい。
【００５５】
このように、第２の光制御部材４の一端面４ａを第１の光制御部材３の他端面３ｂと離間させて対向させてもよい。
【００５６】
次に、本発明の第３の実施形態について説明する。
【００５７】
図３および図４は、本発明の第３の実施形態を示し、図３は第１および第２の光制御部材の概略縦断面図、図４は他の第１および第２の光制御部材の概略縦断面図である。なお、図１と同一部分には同一符号を付して説明は省略する。
【００５８】
図３に示す第１の光制御部材２７および第２の光制御部材２８は、図１に示す第１および第２の光制御部材３，４において、第１の凹部１２および第２の凹部１３に代えて、それぞれ逆円錐形状の第１の凹部２９および第２の凹部３０が形成されている。
【００５９】
第１の凹部２９の傾斜面２９ａでは、発光ダイオード２からの放射光が入射角度に応じて通過するとともに第１の光制御部材２７の全周方向に反射される。傾斜面２９ａは、発光ダイオード２からの放射光を通過させるとともに第１の光制御部材２７の全周方向に反射させる配光制御面となっている。
【００６０】
また、第２の凹部３０の傾斜面３０ａでは、第１の光制御部材２７を通過した発光ダイオード２からの放射光が入射角度に応じて通過するとともに第２の光制御部材２８の全周方向に反射される。傾斜面３０ａは、第１の光制御部材２７を通過した発光ダイオード２からの放射光の通過光を通過させるとともに第２の光制御部材２８の全周方向に反射させる配光制御面となっている。
【００６１】
図４に示す第１の光制御部材３１および第２の光制御部材３２は、図３に示す第１および第２の光制御部材２７，２８において、第１の凹部２９および第２の凹部３０に代えて、傾斜面３３ａおよび傾斜面３３ｂが交互に形成された第１の凹部３３および傾斜面３４ａおよび傾斜面３４ｂが交互に形成された第２の凹部３４が形成されている。
【００６２】
第１の凹部３３の傾斜面３３ａおよび傾斜面３３ｂでは、発光ダイオード２からの放射光が入射角度に応じて通過するとともに第１の光制御部材３１の全周方向に反射される。また、第２の凹部３４の傾斜面３４ａおよび傾斜面３４ｂでは、第１の光制御部材３１を通過した発光ダイオード２からの放射光が入射角度に応じて通過するとともに第２の光制御部材３２の全周方向に反射される。
【００６３】
図４および図５に示すように、第１および第２の凹部すなわち第１および第２の光制御部材のそれぞれの配光制御面は、発光ダイオード２からの放射光を通過かつ反射させる光量などに応じて、適宜の形状および大きさに形成すればよい。また、第１および第２の光制御部材の材質、形状および大きさなどは、互いに異なっていてもよい。
【図面の簡単な説明】
【００６４】
【図１】本発明の第１の実施形態を示す標識灯の概略縦断面図。
【図２】本発明の第２の実施形態を示し、（ａ）はゴムパッキンにより連結された第１および第２の光制御部材の概略縦断面図、（ｂ）は連結金具により連結された第１および第２の光制御部材の概略縦断面図。
【図３】本発明の第３の実施形態を示す第１および第２の光制御部材の概略縦断面図。
【図４】同じく、他の第１および第２の光制御部材の概略縦断面図。
【符号の説明】
【００６５】
１…標識灯
２…光源としての発光ダイオード
３，２７，３１…第１の光制御部材
４，２８，３２…第２の光制御部材
６…標識灯本体
【図１】
2007198081.tif 000003
【図２】
2007198081.tif 000004
【図３】
2007198081.tif 000005
【図４】
2007198081.tif 000006